(57)【要約】【課題】  戻り抵抗部をナットの雌ねじのピッチに連続させることができる、ナット戻り防止装置およびこれを備えた戻り止めナットを提供する。【解決手段】  雌ねじ２３を有するナット２のねじ軸方向の上端部２１に設けられて前記雌ねじ２３に螺合されるボルト７の戻り止めとなるナット戻り防止装置３であって、前記雌ねじ２３のねじ谷２８の径より内径が大きく形成されたリング部４と、このリング部４から下方に延出されており前記ナット２の前記上端部２１に形成された複数の縦溝２２に嵌入される複数の回転防止脚部５と、前記リング部４の内径よりも内側に突出されており前記雌ねじ２３に螺合されるボルト７の雄ねじ７１に当接して前記ナット２の戻り回転に抵抗する戻り抵抗部６とを有する。【選択図】  図１
2019157963.tif 000002
【特許請求の範囲】
【請求項１】
雌ねじを有するナットのねじ軸方向の上端部に設けられて前記雌ねじに螺合されるボルトの戻り止めとなるナット戻り防止装置であって、
前記雌ねじのねじ谷の径より内径が大きく形成されたリング部と、
このリング部から下方に延出されており前記ナットの前記上端部に形成された複数の縦溝に嵌入される複数の回転防止脚部と、
前記リング部の内径よりも内側に突出されており前記雌ねじに螺合されるボルトの雄ねじに当接して前記ナットの戻り回転に抵抗する戻り抵抗部と
を有する、前記ナット戻り防止装置。
【請求項２】
前記回転防止脚部は、二つ折り状に屈曲形成されており、その屈曲部による弾性力によって前記縦溝からの抜け出しを防止する抜出防止機能を備えてなる、請求項１に記載のナット戻り防止装置。
【請求項３】
前記戻り抵抗部が、前記リング部の内周面から内方向に向けて平面視で略三角形の板状に突出形成されており、その締め付け回転側の辺と前記戻り抵抗部に当接する前記雄ねじの接線とにより構成される角度が、戻り回転側の辺と前記接線とにより構成される角度より小さく構成されている、請求項１または請求項２のいずれかに記載のナット戻り防止装置。
【請求項４】
前記回転防止脚部が、前記リング部の外側で前記ねじ軸方向に沿ってナットの戻り回転側に折り返されて二つ折り状に屈曲形成されており、
前記戻り抵抗部は、折り返された前記戻り回転側の前記回転防止脚部の先端縁部から前記雄ねじのねじ山部の縦断面形状に合わせて切り欠き状に形成されたねじ山部用切欠が前記ねじ軸方向に沿って前記雄ねじのピッチ間隔毎に形成されている、請求項１または請求項２に記載のナット戻り防止装置。
【請求項５】
雌ねじを有するとともにねじ軸方向の上端部に複数の縦溝が形成されたナット本体と、このナット本体の前記縦溝に回転防止脚部を嵌入させて設けられた請求項１から請求項４のいずれかに記載のナット戻り防止装置とを有する、戻り止めナット。
【発明の詳細な説明】
【技術分野】
【０００１】
本発明は、ナットの戻り止めとなるナット戻り防止装置およびこれを備えた戻り止めナットに関するものである。
【背景技術】
【０００２】
建築物や各種の機械は、様々な要因による振動を受ける。例えば橋梁は、橋桁を走行する車両による振動や前記橋桁や橋脚、欄干に吹く風により発生する振動を受けている。このような振動を受ける建築物や各種の機械では、部品や部材を締結するナットが前記振動により戻り方向に回転して弛むことが問題となっている。
【０００３】
このような振動によるナットの戻り回転を防止する方法として、ナットを二重に締結する方法やナットをカシメてボルトに完全に固定してしまう方法がある。しかし、二重ナットによる方法は、通常より２倍の数のナットが必要であり、資材コストや施工作業も２倍になるという問題がある。また、ボルトにカシメる方法は、固定後に取り外しができなくなるという問題がある。
【０００４】
そこで、これまでに戻り止め機能を備えるとともに、締結後に取り外すことができる戻り止めナットに関する発明が提案されている。例えば、実開昭４６−８４９６号公報では、弾性板よりなるリング体の内周面に、切欠溝を隔てて２個または３個の凸出爪片を形成し、前記リング体をナット上面に同心的にかつ水平に固着してなる不緩ナットであって、２個または３個の前記凸出爪片を隔てる切り欠き溝の幅を凸出爪片の幅と略等しく形成することにより前記凸出爪片相互間の間隔を十分に付与した、前記不緩ナットが提案されている（特許文献１）。この特許文献１には、前記不緩ナットをボルトに螺合する場合、前記凸出爪片が前記ボルトのねじ山の角度によって湾曲させられ、その反発力が前記ねじ山の上面に押圧力として負荷されることで、ナットの弛緩を極力防止する旨が記載されている。
【先行技術文献】
【特許文献】
【０００５】
【特許文献１】実開昭４６−８４９６号公報
【発明の概要】
【発明が解決しようとする課題】
【０００６】
しかしながら、特許文献１に記載された発明では、不緩ナットをボルトにスムーズに螺合させるには、凸出爪片が前記ナットの雌ねじのピッチに連続するように固定位置を調整しなければならず、極めて高い精度が求められる。もし前記凸出爪片が雌ねじのピッチに連続しない位置に配置されていると、ボルトのねじ山に突き当たり螺合させることができなかったり、締め付けに時に強い抵抗を受けて締結作業がスムーズに行えないといった問題がある。また、前記凸出爪片は、ナットの上端面の環状突起によって固定されているため、固定後に雌ネジのピッチに合わせて固定位置を調整することができないという問題もある。
【０００７】
また、本来ボルトおよびナットのねじ山は、組み付け易い規格で製造されており強く締め付けても僅かな振動で弛むため、前記凸出爪片による摩擦抵抗だけで戻り回転を防止するには限界があった。このことから、発明者は摩擦抵抗のみならず機械的に戻り回転を止める必要があるという新たな課題を見いだした。
【０００８】
本発明は、以上のような問題点を解決するためになされたものであって、戻り抵抗部をナットの雌ねじのピッチに連続させることができる、ナット戻り防止装置およびこれを備えた戻り止めナットを提供することを目的としている。
【課題を解決するための手段】
【０００９】
本発明に係るナット戻り防止装置は、戻り抵抗部とナットの雌ねじのピッチとのズレを調整可能にして締め付け時には抵抗力を小さくしつつ戻り時には抵抗力を大きくするという課題を解決するために、雌ねじを有するナットのねじ軸方向の上端部に設けられて前記雌ねじに螺合されるボルトの戻り止めとなるナット戻り防止装置であって、前記雌ねじのねじ谷の径より内径が大きく形成されたリング部と、このリング部から下方に延出されており前記ナットの前記上端部に形成された複数の縦溝に嵌入される複数の回転防止脚部と、前記リング部の内径よりも内側に突出されており前記雌ねじに螺合されるボルトの雄ねじに当接して前記ナットの戻り回転に抵抗する戻り抵抗部とを有する。
【００１０】
また、本発明の一態様として、ナットの縦溝からナット戻り防止装置が抜け落ちるという課題を解決するために、前記回転防止脚部は、二つ折り状に屈曲形成されており、その屈曲部による弾性力によって前記縦溝からの抜け出しを防止する抜出防止機能を備えていてもよい。
【００１１】
さらに、本発明の一態様として、機械的に戻り抵抗部による締め付け時の抵抗力を小さく抑えつつ戻り止め時の抵抗力を大きくして軽微な振動および激しい振動のいずれにも戻り止め機能を発揮するとともに、戻り抵抗部の限界を超えるとスムーズに戻せるという課題を解決するために、前記戻り抵抗部が、前記リング部の内周面から内方向に向けて平面視で略三角形の板状に突出形成されており、その締め付け回転側の辺と前記戻り抵抗部に当接する前記雄ねじの接線とにより構成される角度が、戻り回転側の辺と前記接線とにより構成される角度より小さく構成されていてもよい。
【００１２】
また、本発明の一態様として、機械的に戻り抵抗部による締め付け時の抵抗力を小さく抑えつつ戻り止め時の抵抗力を大きくして軽微な振動および激しい振動のいずれにも戻り止め機能を発揮するとともに、戻り抵抗部の限界を超えるとスムーズに戻せるという課題を解決するために、前記回転防止脚部が、前記リング部の外側で前記ねじ軸方向に沿ってナットの戻り回転側に折り返されて二つ折り状に屈曲形成されており、前記戻り抵抗部は、折り返された前記戻り回転側の前記回転防止脚部の先端縁部から前記雄ねじのねじ山部の縦断面形状に合わせて切り欠き状に形成されたねじ山部用切欠が前記ねじ軸方向に沿って前記雄ねじのピッチ間隔毎に形成されていてもよい。
【００１３】
本発明に係る戻り止めナットは、戻り抵抗部とナットの雌ねじのピッチとのズレを調整可能にして締め付け時には抵抗力を小さくしつつ戻り時には抵抗力を大きくするという課題を解決するために、雌ねじを有するとともにねじ軸方向の上端部に複数の縦溝が形成されたナット本体と、このナット本体の前記縦溝に回転防止脚部を嵌入させて設けられた前記ナット戻り防止装置とを有する。
【発明の効果】
【００１４】
本発明によれば、戻り抵抗部をナットの雌ねじのピッチに連続させることができる。
【図面の簡単な説明】
【００１５】
【図１】本発明に係る戻り止めナットの第一実施形態を示す斜視図である。
【図２】本第一実施形態におけるナット本体を示す（ａ）平面図および（ｂ）Ａ−Ａ線断面図である。
【図３】本第一実施形態のナット戻り防止装置を示す（ａ）正面図、（ｂ）右側面図、（ｃ）底面図および（ｄ）斜視図である。
【図４】本第一実施形態における戻り抵抗部と螺合されるボルトの雄ねじとの当接状態を示す（ａ）平面図および（ｂ）縦断面図である。
【図５】本第一実施形態のナット戻り防止装置を示す展開図である。
【図６】本第一実施形態のナット戻り防止装置が螺合されるボルトの先端部から上方向の押圧を受けて摺動し、戻り抵抗部が雄ねじの谷部に螺合する状態を説明する縦断面図である。
【図７】本第一実施形態において、戻り止めナットをレンチ等によって強い力で戻り方向に回転させた場合の戻り抵抗部の湾曲状態を示す縦断面図である。
【図８】本発明に係る戻り止めナットの第二実施形態を示す斜視図である。
【図９】本第二実施形態のナット戻り防止装置を示す斜視図である。
【図１０】本第二実施形態のナット戻り防止装置を示す展開図である。
【図１１】本第二実施形態のナット戻り防止装置が螺合されるボルトの先端部から上方向の押圧を受けて摺動し、戻り抵抗部が雄ねじの山部に螺合する状態を説明する縦断面図である。
【図１２】他の実施形態の戻り止めナットを示す縦断面図である。
【図１３】他の実施形態の戻り止めナットを示す縦断面図である。
【図１４】本第二実施形態のナット戻り防止装置においてボルトに締め付けられる前、締め付け時、締め付け完了時および取り外し時の戻り抵抗部の状態を示す拡大平面図である。
【発明を実施するための形態】
【００１６】
以下、本発明に係る戻り止めナットの第一実施形態について図面を用いて説明する。
【００１７】
本第一実施形態の戻り止めナット１Ａは、図１に示すように、上端部２１に複数の縦溝２２が形成されたナット本体２と、このナット本体２の上端部２１に嵌入配置されるナット戻り防止装置３とを有する。以下、各構成について詳細に説明する。
【００１８】
本第一実施形態におけるナット本体２は、図２に示すように、平面視において、外周形状が六角形状に形成されている。また、この平面視における中央位置には、上下方向（平面に対して直交する方向）に沿って雌ねじ２３が形成されている。さらに、ナット本体２の上端面２１には、ナット戻り防止装置３の回転防止脚部５を嵌入させるための縦溝２２が形成されている。
【００１９】
前記縦溝２２は、平面視において、外周形状の六角形の角部２４から雌ねじ２３の中心に向かって直線状に形成されている。本第一実施形態では、前記縦溝２２が、雌ねじ２３を中心とした円周方向に対して１８０度間隔で２箇所形成されている。なお、前記縦溝２２の数は、嵌入される回転防止脚部５の数に合わせて形成されるものであり、２箇所に限らず、例えば１２０度間隔で３箇所に形成してもよい。
【００２０】
また、縦溝２２は、ナット戻り防止装置３がナット本体２に螺合されるボルト７の先端部７２からの上方向の押圧を受けてねじ軸方向に摺動したときに、前記ナット戻り装置３の回転防止脚部５が前記縦溝２２から容易に抜け落ちない深さに形成されている。本第一実施形態では、図２（ｂ）に示すように、最も深いところで雌ねじ２３のねじ山のピッチに対して約２．５倍の深さにまで形成されている。また、縦溝２２の底面２５は、後述する回転防止脚部５の下端面５３に形成された傾斜状下端面５４と合致するように、外周側から雌ねじ２３側の内周側に向けて下り傾斜状の傾斜状底面２６として形成されている。
【００２１】
なお、このナット本体２は、量産されている規格ナットに回転刃を備えた工作機械により縦溝２２を形成することで容易に製造することができ、前記規格ナットを転用することができる。
【００２２】
ナット戻り防止装置３は、ナット本体２のねじ軸方向の上端部２１に設けられて前記雌ねじ２３に螺合されるボルト７の戻り止めとなるものであって、図１および図３に示すように、前記ナット本体２に螺合されるボルト７の雄ねじ７１を挿通可能な大きさに形成されたリング部４と、このリング部４から下方に延出されており前記ナット本体２の縦溝２２に嵌入される回転防止脚部５と、前記リング部４の内径よりも内側に突出されており螺合される前記ボルト７に当接して前記ナット本体２の戻り回転に抵抗する戻り抵抗部６とを有する。
【００２３】
リング部４は、複数の回転防止脚部５を円周方向に対して所定の間隔で連設するものであり、リング状に形成されている。また、リング部４は、ナット本体２に螺合するボルト７の雄ねじ７１を挿通させることができるように、前記ナット本体２の雌ねじ２３のねじ谷２８の径（ボルト７の雄ねじ７１のねじ山頂部７８の径）より内径が大きく形成されている。本第一実施形態では、リング部４の強度を高めるため、外周縁４３からねじ軸方向の下方に向けて延出された補強リブ４１を備えている。
【００２４】
回転防止脚部５は、ナット戻り防止装置３がナット本体２に螺合するボルト７とともに供回りするのを防止するためのものであって、ナット本体２のねじ軸方向の上端部２１に形成された縦溝２２に嵌入されるようにリング部４から下方に向けて延出されている。
【００２５】
本第一実施形態における回転防止脚部５は、縦溝２２に嵌入されたときに、例えば上下逆さにした状態で自重により抜け落ちない程度の保持力を備えるとともに、ナット戻り防止装置３が螺合されるボルト７との係合によって上方向に押圧を受けた際にねじ軸方向に適度に摺動できるように構成されている。つまり、回転防止脚部５は、二つ折り状に屈曲形成されており、その屈曲部５１による弾性力によって前記縦溝２２との摩擦力を構成し、縦溝２２から抜け出してしまうのを防止する抜出防止機能を備えている。
【００２６】
より具体的には、図３に示すように、回転防止脚部５がリング部４の外周縁４３の外側に延出されており、その上端縁部５２を屈曲部５１として下方向に二つ折り状に形成されている。前記回転防止脚部５は、ナット本体２の上端面２１に形成された２箇所の縦溝２２に嵌入させられるようにリング部４の円周方向に対して１８０度間隔で２箇所形成されている。
【００２７】
さらに、各回転防止脚部５の下端面５３は、リング部４の中心軸と前記雌ねじ２３の中心軸とを同軸線上に容易に配置させられるようにするため、ナット本体２の縦溝２２の底面２５に形成された傾斜状底面２６と合致するように、外側よりも内側を下方に長く延出させて傾斜状下端面５４として形成されている。
【００２８】
戻り抵抗部６は、雌ねじ２３に螺合されるボルト７の雄ねじ７１に当接してナット本体２の戻り回転に抵抗するものであり、リング部４の内径よりも内側に突出されている。本第一実施形態における戻り抵抗部６は、図１、図３および図４に示すように、前記リング部４の内周面４２から内方向に向けて平面視で略三角形の板状に突出形成されている。このとき、戻り抵抗部６は、戻り回転に対する抵抗力に比べて締め付け回転に対する抵抗力を弱くするするために、その締め付け回転側の辺６１ａと戻り抵抗部６に当接する雄ねじ７１の接線７３ａとにより構成される角度αが、戻り回転側の辺６１ｂと接線７３ｂとにより構成される角度βより小さく構成されている。つまり、この戻り抵抗部６は、前記ボルト７の雄ねじ７１のねじ谷部７４に対して、締め付け回転時には浅い入射角度で接するようして抵抗力を抑え、戻り方向の回転時には深い入射角度で接するようにして抵抗力を強くしている。
【００２９】
また、戻り抵抗部６の突出している先端部６２は、ナット本体２に螺合するボルト７の雄ねじ７１のねじ谷部７４の谷底７５に当接できるように、ナット本体２の雌ねじ２３のねじ山頂部２７よりも僅かに内側に位置するように突出形成されている。この戻り抵抗部６の先端部６２が雄ねじ７１の谷底７５に当接している状態において、前記戻り抵抗部６の上下面６３，６４が雄ねじ７１のねじ山の上下面７６，７６（いわゆるフランク）に対して当接しないように、前記戻り抵抗部６は、前記雄ねじ７１の谷底７５のねじ軸方向の幅より薄く形成されている。
【００３０】
また、本第一実施形態のナット戻り防止装置３は、図５に示すように、金属製の板材を図示のように形成し、図中の破線に沿って折り曲げ加工することにより、補強リブ４１および回転防止脚部５を形成している。ナット戻り防止装置３に使用される金属製の板材は、防錆力と弾性力を兼ね備えた材料が望ましく、例えば所要の板厚を有するステンレス鋼板（ＳＵＳ３０１）を用いて製造するのが望ましい。
【００３１】
次に、本第一実施形態の戻り止めナット１Ａにおける各構成の作用について説明する。
【００３２】
戻り止めナット１Ａは、ナット本体２の縦溝２２にナット戻り防止装置３の回転防止脚部５を嵌入させることで構成される。このとき縦溝２２の底面２５の傾斜状底面２６と回転防止脚部５の下端面５３の傾斜状下端面５４とが合致するように嵌入できるため、ナット本体２の雌ねじ２３の中心軸とナット戻り防止装置３のリング部４の中心軸とがほぼ一致して配置される。
【００３３】
組み立てられた戻り止めナット１Ａは、ナット本体２の下端側からボルト７の雄ねじ７１に螺合される。リング部４が雌ねじ２３の中心軸とほぼ一致して配置されているため、前記ボルト７の雄ねじ７１は、前記リング部４に挿通可能となる。
【００３４】
戻り抵抗部６は、リング部４の内径よりも内側に突出されているため、雄ねじ７１に当接する。このとき、戻り抵抗部６がナット本体２の雌ねじ２３のねじ山に連続する位置に配置されていた場合には、前記ボルト７の雄ねじ７１のねじ谷部７４に前記戻り抵抗部６が当接し雌ねじ２３とともに螺合する。
【００３５】
一方、戻り抵抗部６が雌ねじ２３のねじ山のピッチと連続していなかった場合は、図６に示すように、螺進するボルト７の先端部７２が戻り抵抗部６の下面６４に対して上方向の押圧を加える。回転防止脚部５は、屈曲部５１による弾性力によって上下方向に摺動可能に縦溝２２に嵌入されているため、ナット戻り防止装置３は、ボルト７から受けた上方向の押圧によって上方向に適宜、摺動する。そして、戻り抵抗部６は、ナット本体２の上端面２１から雌ねじ２３のねじ山のピッチと連続する位置まで移動したところで前記ボルト７の雄ねじ７１のねじ谷部７４に当接し雌ねじ２３とともに螺合する。
【００３６】
ボルト７の雄ねじ７１のねじ谷部７４に螺合した戻り抵抗部６は、その先端部６２がボルト７の雄ねじ７１の谷底７５に当接している。ナット戻り防止装置３は、前記戻り抵抗部６の先端部６２と前記雄ねじ７１の谷底７５との摩擦力によって供回り方向の回転力を受ける。しかし、回転防止脚部５が、ナット本体２の縦溝２２に嵌入されているためボルト７との供回りを防止する。
【００３７】
戻り抵抗部６は、ボルト７の雄ねじ７１の谷底７５から押圧を受けることで、図４（ｂ）に示すように、縦断面形状が上下いずれかの方向に僅かに湾曲する。このとき、図４（ａ）に示すように、戻り抵抗部６の締め付け回転側の辺６１ａと前記戻り抵抗部６に当接する前記雄ねじ７１の接線７３ａとにより構成される角度αが小さく構成されることになり、戻り抵抗部６の先端部６２が雄ねじ７１の谷底７５に対して小さな入射角度で当接するため、抵抗力が弱く、軽い力で締め付けることができる。
【００３８】
これに対し、戻り回転に対しては、戻り抵抗部６の先端部６２では雄ねじ７１の谷底７５に対する入射角度（角度β）が大きく、戻り回転に対する抵抗力は強い。よって、激しい振動や軽微な振動といった様々な振動を受けても、戻り方向に回転してナット本体２が弛むのを防止する。
【００３９】
ただし、戻り止めナット１Ａをレンチ等によって強い力で戻り方向に回転させると、戻り抵抗部６は、図７に示すように、締め付け時よりも抵抗力は強いが大きく撓むことで戻り方向の回転を許容する。そして、抵抗力の限界を超える戻り方向の回転力が加えられれば、スムーズに回転されることができる。よって、戻り止めナット１Ａを螺合されているボルト７から取り外すことができる。このように、本第一実施形態における戻り止めナット１Ａは、戻り抵抗部６とボルト７との摩擦抵抗のみならず、締め付け時の抵抗力を小さく抑えつつ戻り止め時の抵抗力を大きくして軽微な振動および激しい振動のいずれにも戻り止め機能を発揮するとともに、戻り抵抗部６の限界を超えると機械的に撓み量を変化させることでスムーズに戻すことができる。
【００４０】
以上のような本第一実施形態の戻り止めナット１Ａによれば、以下の効果を奏することができる。
１．ボルト７の雄ねじ７１と螺合させる際に上方向の押圧を受けると、戻り抵抗部６がナット本体２の雌ねじ２３のピッチと連続する位置に配置されるように上方向に摺動し、ピッチのズレを自動的に調整することができる。よって、締め付け時には抵抗力を弱くしてナットだけを締め付けるのと同程度の軽い力で締め付けることができる。
２．回転防止脚部５を二つ折り状に屈曲形成してその屈曲部５１による弾性力によって抜け出し防止機能を備えることで、例えばナット戻り防止装置３を上下逆さにしてもナット戻り防止装置３がナット本体２から抜け落ちることがなく、様々な角度のボルト７に締め付けることができる。
３．戻り抵抗部６と雄ねじ７１のねじ谷部７４との接する締め付け回転側の角度αを小さく形成しているため、締め付け時の抵抗力が小さく、最小限の力で締め付け作業を行うことができる。
４．これに対して戻り回転側の角度βは大きく形成されているため、抵抗力が大きく、激しい振動や軽微な振動といった様々な振動を受けても、戻り防止機能を発揮することができる。
５．戻り止めナット１Ａは、縦溝２２を有するナット本体２にナット戻り防止装置３の回転防止脚部５を嵌入することで容易に完成することができる。
６．回転防止脚部５の下端面５３の傾斜状下端面５４と縦溝２２の底面２５の傾斜状底面２６とが合わさるように形成されているため、ナット本体２の雌ねじ２３の中心軸とナット戻り防止装置３のリング部４の中心軸とが一致するように配置され、戻り止めナット１Ａの組み立てが容易である。
【００４１】
次に、本発明に係る戻り止めナットの第二実施形態について図面を用いて説明する。なお、前述した第一実施形態で説明した構成と同一または相当する構成については同一の符号を付して再度の説明を省略する。
【００４２】
戻り止めナット１Ｂは、第一実施形態と同様に、図８に示すように、ナット本体２と、このナット本体２の上端面２１に嵌入配置されるナット戻り防止装置３とからなる。また、前記ナット戻り防止装置３は、第一実施形態と同様に、図９に示すように、リング部４と、回転防止脚部５と、戻り抵抗部６とを有する。但し、第一実施形態とは回転防止脚部５の形成位置が異なる。
【００４３】
本第二実施形態における回転防止脚部５は、リング部４の外周縁４３の外側でねじ軸方向に沿って形成された屈曲部５１を有し、当該屈曲部５１を基端として内側に二つ折り状に形成されている。本第二実施形態における回転防止脚部５は、図１０に示すように、金属製の板材を図示のように形成し、破線で示す第一折り曲げ線に沿って折り曲げ加工することで、リング部４に対して下方に延出させるとともに、破線で示す第二折り曲げ線に沿って、前記リング部４の外側でねじ軸方向に沿ってナットの戻り回転側に折り返されて二つ折り状に屈曲形成されている。
【００４４】
本第二実施形態における戻り抵抗部６は、図９および図１１に示すように、戻り回転側に折り返された回転防止脚部５ａの先端縁部５５に形成されている。具体的には、前記回転防止脚部５ａの先端縁部５５から前記雄ねじ７１のねじ山部７７の縦断面形状に合わせて切り欠き状に形成されたねじ山部用切欠６５を有しており、前記ねじ山部用切欠６５は、前記ねじ軸方向に沿って前記雄ねじ７１のピッチ間隔に合わせて形成されている。
【００４５】
また、本第二実施形態では、回転防止脚部５が、リング部４の周方向に沿って１８０度間隔で２箇所形成されているため、各々の前記回転防止脚部５に当接する雄ねじ７１のピッチのズレを調整するため、各々の前記回転防止脚部５に形成される前記ねじ山部用切欠６５は、相互に前記ねじ軸方向に１／２ピッチずらした位置に形成されている。
【００４６】
なお、戻り抵抗部６は、ボルト７の雄ねじ７１のねじ山部７７に当接しうるものに限定されるものではなく、図１２に示すように、ねじ谷部７４に当接させるため、前記回転防止脚部５ａの先端縁部５５から前記雄ねじ７１のねじ谷部７４の縦断面形状に合わせて凸状に形成されたねじ谷部用凸片６６を有していてもよい。また、図１３に示すように、雄ねじ７１のねじ山頂部７８に当接させるため、戻り抵抗部６を、前記回転防止脚部５ａの先端縁部５５から内側に延出させるとともに、前記ねじ軸方向に対して前記雄ねじ７１のピッチ間隔より長い略直線状の端面６７を備えるように形成してもよい。
【００４７】
次に、本第二実施形態の戻り止めナット１Ｂにおける各構成の作用について説明する。
【００４８】
戻り抵抗部６は、リング部４の内径よりも内側に突出されているため、雄ねじ７１に当接する。このとき、戻り抵抗部６のねじ山部用切欠６５がナット本体２の上端面２１から雌ねじ２３のねじ山のピッチに連続する位置に配置されていた場合には、前記雄ねじ７１のねじ山部７７が前記ねじ山部用切欠６５に当接して螺合する。また、本第二実施形態では、ねじ山部用切欠６５が、１８０度間隔で２箇所形成されている回転防止脚部５に対してねじ軸方向に１／２ピッチずらした位置に形成されているため、各戻り抵抗部６のねじ山部用切欠６５同士は互いに雌ねじ２３のピッチに一致する。
【００４９】
一方、戻り抵抗部６のねじ山部用切欠６５が雌ねじ２３のねじ山のピッチと連続しない位置に配置されていた場合には、第一実施形態と同様、図１１に示すように、螺進するボルト７の先端部７２が戻り抵抗部６の下面６４に対して上方向の押圧を加える。戻り抵抗部６は、ねじ山部用切欠６５がナット本体２の上端面２１から雌ねじ２３のねじ山のピッチと連続する位置まで移動したところで前記ボルト７の雄ねじ７１のねじ山部７７に当接して螺合する。
【００５０】
ボルト７の雄ねじ７１のねじ山部７７に螺合した戻り抵抗部６は、ねじ山部用切欠６５が前記雄ねじ７１のねじ山部７７に当接する。ナット戻り防止装置３は、ねじ山部用切欠６５と前記雄ねじ７１のねじ山部７７との摩擦力を受ける。
【００５１】
戻り抵抗部６は、ねじ山部用切欠６５と前記雄ねじ７１のねじ山部７７との摩擦力によって、図１４（ｂ）に示すように、締め付け回転時（ボルト７が右ねじの場合においては反時計回りに回転させた時）には、平面視で戻り回転側（図１４（ｂ）では時計回転側）に湾曲する。ここで本第二実施形態における戻り抵抗部６は、ナットの戻り回転側（図１４（ｂ）では時計回転側）に折り返されて二つ折り状に屈曲形成されている回転防止脚部５において、その戻り回転側（図１４（ｂ）では時計回転側）の回転防止脚部５ａの先端縁部５５にねじ軸方向に沿って形成されている。つまり、戻り抵抗部６が、戻り回転側（図１４（ｂ）では時計回転側）に他方の回転防止脚部５ｂが存在しないため湾曲し易く、雄ねじ７１に対する抵抗力が弱くなって軽い力で締め付けることができる。
【００５２】
これに対し、図１４（ｄ）に示すように、戻り回転時（ボルト７が右ねじの場合においては時計回りに回転させた時）には、締め付け回転側（図１４（ｄ）では反時計回転側）に他方の回転防止脚部５ｂが存在しており、戻り抵抗部６が湾曲しにくく、戻り回転に対する抵抗力は強い。よって、激しい振動や軽微な振動といった様々な振動を受けても、戻り方向に回転し緩むことがない。
【００５３】
一方、戻り止めナット１Ｂをレンチ等によって強い力で戻り方向に回転させると、戻り抵抗部６は、締め付け時よりも抵抗力は強いが先端部６２が締め付け回転側に反転するように湾曲するため、戻り方向の回転を許容する。よって、戻り止めナット１Ｂは、戻り方向への回転が抵抗力の限界を超えるとスムーズに回転させられてボルト７から取り外すことができる。このように、本第二実施形態における戻り止めナット１Ｂは、戻り抵抗部６とボルト７との摩擦抵抗とともに、締め付け時の抵抗力を小さく抑えつつ戻り止め時の抵抗力を大きくして軽微な振動および激しい振動のいずれにも戻り止め機能を発揮するとともに、戻り抵抗部６の限界を超えると機械的に湾曲する方向を反転させることでスムーズに戻すことができる。
【００５４】
以上のように、本第二実施形態における戻り止めナット１Ｂは、第一実施形態と同様の作用効果を奏することができる。特に、戻り抵抗部６は、第一実施形態の戻り抵抗部６に比べて、戻り方向への抵抗力を強くでき、締め付け回転に対する抵抗力と戻り回転に対する抵抗力の差を付けやすい。
【００５５】
なお、本発明に係る戻り止めナットおよびナット戻り防止装置は、前述した各実施形態に限定されるものではなく、適宜変更することができる。例えば、第一実施形態におけるナット戻り防止装置３では、回転防止脚部５の屈曲部５１が前記回転防止脚部５の上端縁部５２において水平状に形成されているが、これに限定されるものではなく、第二実施形態のようにリング部４の外周縁４３の外側でねじ軸方向に沿って形成されていてもよく、図示しないが、内側縁部や下端縁部に形成されていてもよい。
【符号の説明】
【００５６】
１Ａ，１Ｂ  戻り止めナット
２  ナット本体
３  ナット戻り防止装置
４  リング部
５  回転防止脚部
５ａ  戻り回転側に折り返された回転防止脚部
５ｂ  他方の回転防止脚部
６  戻り抵抗部
７  ボルト
２１  上端面
２２  縦溝
２３  雌ねじ
２４  角部
２５  縦溝の底面
２６  傾斜状底面
２７  雌ねじのねじ山頂部
２８  雌ねじのねじ谷
４１  補強リブ
４２  リング部の内周面
４３  リング部の外周縁
５１  屈曲部
５２  上端縁部
５３  回転防止脚部の下端面
５４  傾斜状下端面
５５  回転防止脚部の先端縁部
６１ａ  締め付け回転側の辺
６１ｂ  戻り回転側の辺
６２  戻り抵抗部の先端部
６３  戻り抵抗部の上面
６４  戻り抵抗部の下面
６５  ねじ山部用切欠
６６  ねじ谷部用凸片
６７  略直線状の端面
７１  雄ねじ
７２  ボルトの先端部
７３ａ，７３ｂ  雄ねじの接線
７４  雄ねじのねじ谷部
７５  雄ねじの谷底
７６  雄ねじのねじ山の上下面
７７  雄ねじのねじ山部
７８  雄ねじのねじ山頂部
【図１】
2019157963.tif 000003
【図２】
2019157963.tif 000004
【図３】
2019157963.tif 000005
【図４】
2019157963.tif 000006
【図５】
2019157963.tif 000007
【図６】
2019157963.tif 000008
【図７】
2019157963.tif 000009
【図８】
2019157963.tif 000010
【図９】
2019157963.tif 000011
【図１０】
2019157963.tif 000012
【図１１】
2019157963.tif 000013
【図１２】
2019157963.tif 000014
【図１３】
2019157963.tif 000015
【図１４】
2019157963.tif 000016
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
雌ねじを有するナットのねじ軸方向の上端部に設けられて前記雌ねじに螺合されるボルトの戻り止めとなるナット戻り防止装置であって、
前記雌ねじのねじ谷の径より内径が大きく形成されたリング部と、
このリング部から下方に延出されており前記ナットの前記上端部に形成された複数の縦溝に嵌入される複数の回転防止脚部と、
前記リング部の内径よりも内側に突出されており前記雌ねじに螺合されるボルトの雄ねじに当接して前記ナットの戻り回転に抵抗する戻り抵抗部とを有しており、
前記回転防止脚部は、二つ折り状に屈曲形成されており、その屈曲部による弾性力によって前記縦溝からの抜け出しを防止する抜出防止機能を備えてなる、前記ナット戻り防止装置。
【請求項２】
前記戻り抵抗部が、前記リング部の内周面から内方向に向けて平面視で略三角形の板状に突出形成されており、その締め付け回転側の辺と前記戻り抵抗部に当接する前記雄ねじの接線とにより構成される角度が、戻り回転側の辺と前記接線とにより構成される角度より小さく構成されている、請求項１に載のナット戻り防止装置。
【請求項３】
雌ねじを有するナットのねじ軸方向の上端部に設けられて前記雌ねじに螺合されるボルトの戻り止めとなるナット戻り防止装置であって、
前記雌ねじのねじ谷の径より内径が大きく形成されたリング部と、
このリング部から下方に延出されており前記ナットの前記上端部に形成された複数の縦溝に嵌入される複数の回転防止脚部と、
前記リング部の内径よりも内側に突出されており前記雌ねじに螺合されるボルトの雄ねじに当接して前記ナットの戻り回転に抵抗する戻り抵抗部とを有しており、
前記回転防止脚部が、前記リング部の外側で前記ねじ軸方向に沿ってナットの戻り回転側に折り返されて二つ折り状に屈曲形成されており、
前記戻り抵抗部は、折り返された前記戻り回転側の前記回転防止脚部の先端縁部から前記雄ねじのねじ山部の縦断面形状に合わせて切り欠き状に形成されたねじ山部用切欠が前記ねじ軸方向に沿って前記雄ねじのピッチ間隔毎に形成されている、前記ナット戻り防止装置。
【請求項４】
雌ねじを有するとともにねじ軸方向の上端部に複数の縦溝が形成されたナット本体と、このナット本体の前記縦溝に回転防止脚部を嵌入させて設けられた請求項１から請求項３のいずれかに記載のナット戻り防止装置とを有する、戻り止めナット。